(57)【要約】【課題】空調設備のフィルタ寿命警報システム及びその警報方法を提供する。【解決手段】空調設備のフィルタ寿命警報システムは、空調設備が起動されているか否か、及びファンがオンされたか否かを判定するステップと、空調設備が起動されてファンがオンされたと判定した場合、空調設備からファンの現在設定されているファン段階数を取得し、センサにより空間における各環境パラメータを取得し、空調設備の稼働時間を算出し続けるステップと、警報アルゴリズムにより、ファン段階数、環境パラメータ及び稼働時間に基づいて、空調設備のフィルタの論理損失値を算出するステップと、論理損失値が交換閾値よりも大きいか否かを判定するステップと、論理損失値が交換閾値よりも大きいと判定した場合、フィルタの寿命が終わったと判断し、フィルタを交換する警報メッセージを送信する。【選択図】図４
2019105432.tif 000002
【特許請求の範囲】
【請求項１】
内部にフィルタとファンとが配置される空調設備に適用されるフィルタ寿命警報方法であって、
（ａ）プロセッサにより、前記空調設備が起動されているか否か、及び前記ファンがオンされたか否かを判定するステップと、
（ｂ）前記プロセッサは、前記空調設備が起動されて前記ファンがオンされたと判定した場合、前記空調設備から前記ファンの現在設定されているファン段階数を取得するステップと、
（ｃ）前記プロセッサは、前記空調設備が起動されて前記ファンがオンされたと判定した場合、センサにより環境パラメータを取得し、前記センサは、前記空調設備と同じ空間に配置され、前記空間内の前記環境パラメータを感知するステップと、
（ｄ）前記プロセッサは、前記空調設備が起動されて前記ファンがオンされたと判定した場合、前記空調設備の稼働時間を算出するステップと、
（ｅ）前記プロセッサは、警報アルゴリズムを実行して、前記ファン段階数、前記環境パラメータ、及び前記稼働時間に基づいて前記フィルタの論理損失値を算出するステップと、
（ｆ）前記プロセッサは、前記論理損失値が交換閾値よりも大きいか否かを判定するステップと、
（ｇ）前記プロセッサは、前記論理損失値が前記交換閾値よりも大きいと判定した場合、前記フィルタの警報メッセージを生成して送信するステップと、を含むことを特徴とする警報方法。
【請求項２】
前記空調設備は、異なる空気流量に対応する複数の前記ファン段階数を有し、
前記ステップ（ｅ）は、前記警報アルゴリズムにより、現在設定されている前記ファン段階数に基づいて前記空調設備を流れる空気の流量に換算し、当該流量、前記環境パラメータ及び前記稼働時間に基づいて前記論理損失値を算出することを特徴とする請求項１に記載の警報方法。
【請求項３】
前記ステップ（ｅ）は、前記流量、前記稼働時間、前記環境パラメータ及び重みを掛けた乗算値を算出し、当該乗算値を前記論理損失値とすることを特徴とする請求項２に記載の警報方法。
【請求項４】
前記環境パラメータは、総揮発性有機化合物（ＴＶＯＣ）濃度値、ダスト（ＤＵＳＴ）濃度値及びホルムアルデヒド濃度値のうちの少なくとも１つであることを特徴とする請求項２に記載の警報方法。
【請求項５】
前記警報アルゴリズムは、クラウドサーバに配置され、前記プロセッサは、前記クラウドサーバのプロセッサであることを特徴とする請求項２に記載の警報方法。
【請求項６】
前記警報アルゴリズムは、前記空調設備のファームウェアであり、前記プロセッサは、前記空調設備のプロセッサであることを特徴とする請求項２に記載の警報方法。
【請求項７】
空調設備のフィルタ寿命警報システムであって、
ある空間に取り付けられ、少なくともファンとフィルタとが配置される空調設備と、
前記空間に取り付けられ、前記空間内の環境パラメータを感知するセンサと、
前記空調設備が起動されているか否か、及び前記ファンがオンされたか否かを判定するプロセッサと、を含み、
前記プロセッサは、前記空調設備が起動されて前記ファンがオンされたと判定した場合、前記空調設備から前記ファンの現在設定されているファン段階数と、前記センサから前記環境パラメータとを取得し、前記空調設備の稼働時間を算出し、
前記プロセッサは、警報アルゴリズムを実行し、当該警報アルゴリズムは、前記ファン段階数、前記環境パラメータ、及び前記稼働時間に基づいて前記フィルタの論理損失値を算出し、
前記プロセッサは、前記論理損失値が交換閾値よりも大きいか否かを判定し、前記論理損失値が前記交換閾値よりも大きいと判定した場合、前記フィルタの警報メッセージを生成して送信することを特徴とする警報システム。
【請求項８】
前記空調設備は、異なる空気流量に対応する複数の前記ファン段階数を有し、
前記警報アルゴリズムは、現在設定されている前記ファン段階数に基づいて前記空調設備を流れる空気の流量に換算し、当該流量、前記環境パラメータ及び前記稼働時間に基づいて前記論理損失値を算出することを特徴とする請求項７に記載の警報システム。
【請求項９】
前記警報アルゴリズムは、前記流量、前記稼働時間、前記環境パラメータ及び重みを掛けた乗算値を算出し、当該乗算値を前記論理損失値とすることを特徴とする請求項８に記載の警報システム。
【請求項１０】
前記環境パラメータは、総揮発性有機化合物（ＴＶＯＣ）濃度値、ダスト（ＤＵＳＴ）濃度値及びホルムアルデヒド濃度値のうちの少なくとも１つであることを特徴とする請求項８に記載の警報システム。
【請求項１１】
クラウドサーバをさらに含み、
前記警報アルゴリズムは、前記クラウドサーバに配置され、
前記プロセッサは、前記クラウドサーバのプロセッサであることを特徴とする請求項８に記載の警報システム。
【請求項１２】
前記警報アルゴリズムは、前記空調設備のファームウェアであり、前記プロセッサは、前記空調設備のプロセッサであることを特徴とする請求項８に記載の警報システム。
【請求項１３】
前記センサは、前記空調設備内に配置されることを特徴とする請求項８に記載の警報システム。
【請求項１４】
前記プロセッサに通信可能に接続されるフロントコントロールパネルをさらに含み、
前記プロセッサは、前記警報メッセージを前記フロントコントロールパネルに送信して表示させることを特徴とする請求項８に記載の警報システム。
【請求項１５】
前記フロントコントロールパネルは、前記空間に配置されることを特徴とする請求項１４に記載の警報システム。
【請求項１６】
アプリケーションがインストールされて実行されるユーザ端末をさらに含み、
前記ユーザ端末は、前記プロセッサに通信可能に接続され、
前記プロセッサは、前記警報メッセージを前記ユーザ端末に送信して前記アプリケーションにより表示させることを特徴とする請求項８に記載の警報システム。
【発明の詳細な説明】
【技術分野】
【０００１】
本発明は、空調設備に関し、特に、空調設備のフィルタ寿命警報システム及びその警報方法に関する。
【背景技術】
【０００２】
図１は、関連技術の空調設備を示す概略図である。図１に示すように、空調設備１は、一般的に、主に空調設備１の吸気口１２と排気口１３との間に配置されるフィルタ１１を備える。空調設備１は、外気を吸気口１２から内部に吸入し、フィルタ１１を介して濾過した後、排気口１３から濾過された空気を排出して空気循環の調整を行う。
【０００３】
一般的に、フィルタ１１は、長時間の使用により（空調設備１を流れる空気のほこりや汚れを除去したため）、徐々に汚れるようになる。過度に汚れたフィルタ１１は、空調設備１の循環調節の効率に影響を及ぼすため、効率が低くなってエネルギーを無駄にする。空調設備１の良好な性能を維持するとともに、エネルギー浪費を回避するためには、空調設備１内のフィルタ１１を定期的に清掃又は交換する必要がある。
【０００４】
空調設備１のメーカーは、取扱説明書にフィルタ１１の定期的な清掃や交換をユーザに促すことが多いが、しかし、大多数のユーザが忘れがちとなり、その結果、空調設備１の効率が低下し、空調設備１のエネルギーが無駄になってしまう。
【０００５】
そこで、空調設備１の中には、フィルタ１１の使用時間（即ち、空調設備１のフィルタ１１を取り付けた後の稼働時間）を自動積算する計時装置を別途に設けたものがある。また、空調設備１は、フィルタ１１の清掃や交換をユーザに促すために、予め設定された使用時間（例えば、３０日）が経過すると、フィルタ１１の清掃や交換のリマインダメッセージを積極的に送信する。
【発明の概要】
【発明が解決しようとする課題】
【０００６】
しかしながら、フィルタ１１の汚れの程度は、環境中の空気の質にかなり関係している。例えば、空気中のほこりの量が多い場合には、フィルタ１１が短時間に目詰まっている可能性がある。上記の技術を採用する場合、空調設備１は、フィルタ１１の使用時間が経過するまでフィルタ１１を交換するためのリマインダメッセージを積極的に送信しないので、ユーザはフィルタ１１を早く交換することができない。その結果、上記の使用時間が経過するまで、空調設備１の性能が大幅に低下することになる。
【０００７】
また、他の例として、空気中のほこりの量がかなり少ない場合、上記の使用時間が経過してもフィルタ１１がかなりきれいである可能性がある。この場合、空調設備１は、フィルタ１１を交換するためのリマインダメッセージを積極的に送信しても、このリマインダメッセージは実質的な意味を持たない。
【０００８】
本発明の主な目的は、複数のパラメータを同時に参照してフィルタの寿命を算出し、生成して送信した警報メッセージをより正確にすることが可能な空調設備のフィルタ寿命警報システム及びその警報方法を提供することにある。
【課題を解決するための手段】
【０００９】
上記目的を達成するため、本発明に係る警報方法は、内部にフィルタとファンとが配置される空調設備に適用され、
（ａ）プロセッサにより、前記空調設備が起動されているか否か、及び前記ファンがオンされたか否かを判定するステップと、
（ｂ）前記プロセッサは、前記空調設備が起動されて前記ファンがオンされたと判定した場合、前記空調設備から前記ファンの現在設定されているファン段階数を取得するステップと、
（ｃ）前記プロセッサは、前記空調設備が起動されて前記ファンがオンされたと判定した場合、センサにより環境パラメータを取得し、前記センサは、前記空調設備と同じ空間に配置され、前記空間内の前記環境パラメータを感知するステップと、
（ｄ）前記プロセッサは、前記空調設備が起動されて前記ファンがオンされたと判定した場合、前記空調設備の稼働時間を算出するステップと、
（ｅ）前記プロセッサは、警報アルゴリズムを実行して、前記ファン段階数、前記環境パラメータ、及び前記稼働時間に基づいて前記フィルタの論理損失値を算出するステップと、
（ｆ）前記プロセッサは、前記論理損失値が交換閾値よりも大きいか否かを判定するステップと、
（ｇ）前記プロセッサは、前記論理損失値が前記交換閾値よりも大きいと判定した場合、前記フィルタの警報メッセージを生成して送信するステップと、を含む。
【００１０】
上記目的を達成するため、本発明に係る空調設備のフィルタ寿命警報システムは、
ある空間に取り付けられ、少なくともファンとフィルタとが配置される空調設備と、
前記空間に取り付けられ、前記空間内の環境パラメータを感知するセンサと、
前記空調設備が起動されているか否か、及び前記ファンがオンされたか否かを判定するプロセッサと、を含み、
前記プロセッサは、前記空調設備が起動されて前記ファンがオンされたと判定した場合、前記空調設備から前記ファンの現在設定されているファン段階数と、前記センサから前記環境パラメータとを取得し、前記空調設備の稼働時間を算出し、
前記プロセッサは、警報アルゴリズムを実行し、当該警報アルゴリズムは、前記ファン段階数、前記環境パラメータ、及び前記稼働時間に基づいて前記フィルタの論理損失値を算出し、
前記プロセッサは、前記論理損失値が交換閾値よりも大きいか否かを判定し、前記論理損失値が前記交換閾値よりも大きいと判定した場合、前記フィルタの警報メッセージを生成して送信する。
【発明の効果】
【００１１】
関連技術と比べ、本発明の技術的効果は、アルゴリズムにより、空調設備の電源状態、ファン段階数、空調設備の稼働時間及び空間における各環境パラメータを参照し、フィルタの寿命を算出することで、関連技術で採用された判定方法よりも正確な結果を得ることができる。
【図面の簡単な説明】
【００１２】
【図１】関連技術の空調設備を示す概略図である。
【図２】本発明に係る第１実施形態の空調設備を示す概略図である。
【図３】本発明に係る第１実施形態の警報システムを示すブロック図である。
【図４】本発明に係る第１実施形態の警報方法を示すフローチャートである。
【図５】本発明に係る第１実施形態のフィルタ寿命算出を示す概略図である。
【図６】本発明に係る第１実施形態の関連パラメータを示す概略図である。
【発明を実施するための形態】
【００１３】
本発明の好適な実施形態について、図面を参照して以下に説明する。
【００１４】
図２及び図３は、それぞれ、本発明に係る第１実施形態の空調設備を示す概略図、及び警報システムを示すブロック図である。
【００１５】
本発明の一実施形態には、空調設備のフィルタ寿命警報システム（以下、警報システム２と称する）が開示されている。図３に示す実施形態において、警報システム２は、空調設備（Ｈｅａｔｉｎｇ  Ｖｅｎｔｉｌａｔｉｏｎ  ａｎｄ  Ａｉｒ  Ｃｏｎｄｉｔｉｏｎｉｎｇ，ＨＶＡＣ）３と、センサ４と、サーバ５とを少なくとも含む。サーバ５は、ローカルサーバであってもクラウドサーバであってもよい。図３の実施形態において、空調設備３とセンサ４とサーバ５とは、ネットワークシステム（例えば、Ｗｉ−Ｆｉ（登録商標）やＢｌｕｅｔｏｏｔｈ（登録商標）等）を介して通信可能に接続されているが、ケーブル（図示せず）により物理的に接続されてもよく、限定されない。
【００１６】
図２に示すように、本実施形態において、空調設備３は、主に、フィルタ３１と、ファン３２と、冷却コイル３３と、加熱コイル３４とを備える。空調設備３が起動されてファン３２がオンされた場合、吸気口により外気が空調設備３に吸入され、空調設備３のフィルタ３１により空気中の有害物質（例えば、総揮発性有機化合物（ＴＶＯＣ）又はダスト（ＤＵＳＴ）等）が濾過される。そして、ファン３２は、空調設備３の空気を冷却コイル３３又は加熱コイル３４に流すことで、ユーザが必要とする冷気又は暖気を生成した後、排気口を介して空調設備３の外部に吹出する。
【００１７】
図２に示すように、本実施形態において、空調設備３及び１つ又は複数のセンサ４は、同じ空間８内に共に配置されている。具体的に、空間８には、１つ又は複数の通気口８１が設けられ、空調設備３により提供された冷気又は暖気は、通気口８１を介して空間８に流入し、環境快適性がユーザ９のニーズを満たすように、空間８の環境快適性を調整する。
【００１８】
センサ４は、主として空間８における各環境パラメータを感知するために用いられる。一実施形態において、環境パラメータは、例えば、総揮発性有機化合物濃度値、ダスト濃度値、及びホルムアルデヒド濃度値のうちの少なくとも１つであってもよい。センサ４は、上述した各環境パラメータを感知するためのセンサであってもよいが、これらに限定されない。
【００１９】
本発明の主な技術的目的の１つは、各パラメータに同時に基づいて空調設備３のフィルタ３１の寿命を算出し、フィルタ３１の寿命が終わったと判定された場合、ユーザ９又は管理者に警報メッセージを送信することにより、ユーザ９又は管理者にフィルタ３１の清掃又は交換を促すことにある。
【００２０】
本発明の警報システム２は、主としてプロセッサ（図示せず）により、上述した判定を実行して警報メッセージを送信する。一実施形態において、上記プロセッサは、空調設備３のプロセッサであってもよい（即ち、空調設備３によりローカルコンピューティングを実行する）。他の実施形態において、プロセッサは、遠隔地にあるサーバ５（例えば、クラウドサーバ）のプロセッサ（即ち、サーバ５によりクラウドコンピューティングを実行する）であってもよい。本発明の警報システム２は、空調設備３によりローカルコンピューティングを実行する場合、サーバ５を配置する必要がなく、製造コストを低減することができる。一方、サーバ５によりクラウドコンピューティングを実行する場合、サーバ５の性能により警報システム２の算出の効率及び精度を大幅に向上させることができる。
【００２１】
以下では、説明の便宜上、サーバ５のプロセッサによりクラウドコンピューティングを実行することを例に説明するが、本発明の特許請求の範囲を限定するものではない。
【００２２】
具体的に、本発明は、プロセッサにより空調設備３が起動されているか否か、及び空調設備３のファン３２がオンされているか否かを判定する。プロセッサは、空調設備３が起動され、ファン３２がオンされたと判定した場合、直ちに空調設備３から現在設定されているファン３２のファン段階数を取得し、センサ４により空間８における各環境パラメータ（例えば、総揮発性有機化合物濃度値、ダスト濃度値等）を取得し、空調設備３の稼働時間を算出し続ける。また、プロセッサは、空調設備３のフィルタ３１の寿命を算出するように、警報アルゴリズム５１を実行する。
【００２３】
具体的には、空調設備３が起動された後、空調設備３は、通信接続を介してサーバ５にファン段階数を送信し、センサ４は、通信接続を介してサーバ５に環境パラメータを送信し、また、サーバ５は、プロセッサにより空調設備３の稼働時間を積算する。また、プロセッサは、警報アルゴリズム５１を実行し、警報アルゴリズム５１は、取得したファン段階数、環境パラメータ及び稼働時間に基づいて、空調設備３におけるフィルタ３１の論理損失値を算出する。一実施形態において、上述した論理損失値は、フィルタ３１の寿命に反比例する。即ち、論理損失値が大きいほど、フィルタ３１の損失がより深刻になる（即ち、寿命が短くなる）。論理損失値がある一定値よりも大きい場合、フィルタ３１の寿命が終わったことを示す。ただし、説明したものは本発明の具体的な一例に過ぎず、これに限定されない。
【００２４】
本発明では、警報アルゴリズム５１には、交換閾値が記録されてもよい。一実施形態において、管理者は、正確な値を得るために空調設備３及びフィルタ３１を繰り返し実験し、その値を上述した交換閾値として警報アルゴリズム５１に書き込んでもよい。他の実施形態において、管理者は、空調設備３、ファン３２、フィルタ３１、センサ４、空間８及びユーザ９等の関連情報を全て警報アルゴリズム５１にインポートし、警報アルゴリズム５１は、ビッグデータ分析により上述した交換閾値を算出してもよい。
【００２５】
本実施形態において、上述した交換閾値は、フィルタ３１の最大許容損失の程度を表す。警報アルゴリズム５１が上記の論理損失値を算出した後、プロセッサは、論理損失値が交換閾値よりも大きいか否かをさらに判定してもよい。論理損失値が交換閾値よりも大きい場合、フィルタ３１の現在の損失程度は、最大許容損失の程度を超えている（即ち、フィルタ３１の寿命が終わった）ことを示す。この場合、プロセッサは、ユーザ９又は管理者に空調設備３のフィルタ３１を清掃又は交換するように促すために、フィルタ３１の警報メッセージを生成して送信する。
【００２６】
図３に示す実施形態において、プロセッサは、サーバ５（例えば、クラウドサーバ等）のプロセッサであり、サーバ５には、警報アルゴリズム５１が設けられている。他の実施形態において、プロセッサは、空調設備３のプロセッサであってもよく、警報アルゴリズム５１は、空調設備３のファームウェア（図示せず）であってもよい。
【００２７】
図２に示す実施形態において、センサ４及び空調設備３は、空間８の内部又はその周囲にそれぞれ配置されている。他の実施形態において、センサ４は、警報システム２の取り付けを容易にするために、空調設備３内に直接配置されてもよい。
【００２８】
図３の実施形態において、警報システム２は、上述したプロセッサに通信可能に接続されるフロントコントロールパネル６をさらに含む。本実施形態において、フロントコントロールパネル６は、例えば、空間８内又は空調設備３のメンテナンスセンターに配置されてもよい。プロセッサは、論理損失値が交換閾値よりも大きいと判定した場合、フィルタ３１の警報メッセージをフロントコントロールパネル６に送信して表示させてもよい。これにより、ユーザ９又は管理者は、フロントコントロールパネル６で警報メッセージを確認し、警報メッセージによりフィルタ３１の寿命が終わったことを表示する場合、フィルタ３１の清掃又は交換を行うことができる。
【００２９】
図３の実施形態において、警報システム２は、上述したプロセッサに通信可能に接続されるユーザ端末７をさらに含む。ユーザ端末７は、主に管理者又は空間８におけるユーザ９が携帯するものである。ユーザ端末７の内部には、本発明の警報システム２に対応可能なアプリケーション７１がインストールされて実行されている。本実施形態において、プロセッサは、論理損失値が交換閾値よりも大きいと判定した場合、フィルタ３１の警報メッセージをユーザ端末７に送信し、アプリケーション７１により表示されてもよい。これにより、ユーザ９又は管理者は、ユーザ端末７で警報メッセージを確認し、警報メッセージによりフィルタ３１の寿命が終わったことを表示する場合、フィルタ３１の清掃又は交換を行うことができる。
【００３０】
図４は、本発明に係る第１実施形態の警報方法を示すフローチャートである。本発明は、空調設備のフィルタ寿命警報方法（以下、警報方法と略称する）をさらに開示する。この警報方法は、主に図２及び図３に示す空調設備３及び警報システム２に適用される。
【００３１】
本発明に係る警報方法では、まず、上述したプロセッサ（即ち、空調設備３又はサーバ５）により、空調設備３が起動されているか否か、及び空調設備３のファン３２がオンされたか否かを判定する（ステップＳ１０）。一実施形態において、空間８内に人感センサが配置されてもよい。人感センサにより空間８にユーザ９が進入したことを感知すると、自動的に空調設備３を起動させ、ファン３２をオンにする。他の実施形態において、ユーザ９は、空間８に進入した後、入力インターフェース（例えば、フロントコントロールパネル６又はユーザ端末７）を介して手動で空調設備３を起動させ、ファン３２をオンにするように指示することができる。
【００３２】
本発明に係る警報システム２は、空調設備３が起動されてファン３２がオンされるまで、フィルタ３１の寿命を算出することがなく（即ち、本発明の警報方法を実行しない）、空調設備３が起動しているか否か及びファン３２がオンされているか否かを判定するために、空調設備３の状態を検出し続ける。なお、空調設備３は起動されているが、ファン３２はオンされていない場合、空調設備３に空気が流れないことを示す。この場合、警報システム２は、フィルタ３１が汚れの除去作業を行っていないため、フィルタ３１の寿命が減ることはないので、フィルタ３１の寿命を算出しない。言い換えれば、空調設備３の電源状態及びファン３２のオンオフ状態も、本発明に係る警報方法におけるフィルタ３１の寿命を算出ためのパラメータのうち一つに属する。
【００３３】
上述したプロセッサは、空調設備３が起動されてファン３２がオンされたと判定した後、空調設備３からファン３２の現在設定されているファン段階数を直ちに取得しステップＳ１２）、センサ４により空間８における各環境パラメータを取得し（ステップＳ１４）、空調設備３の稼働時間を算出する（ステップＳ１６）。
【００３４】
一実施形態において、上述した環境パラメータは、例えば、空間８における総揮発性有機化合物（ＴＶＯＣ）濃度値、ダスト（ＤＵＳＴ）濃度値、ホルムアルデヒド濃度値等であってもよいが、これらに限定されない。
【００３５】
一実施形態において、上述した稼働時間は、プロセッサにより空調設備３の起動後に算出されてもよく、又は空調設備３により自己算出され、プロセッサにより上述した稼働時間を取得するように空調設備３に要求を送信してもよいが、これに限定されない。
【００３６】
なお、上記ステップＳ１２〜Ｓ１６は、固定された実行シーケンスを有しておらず、プロセッサは、実際に任意の順序に従って上述したパラメータを取得してもよく、或いは、多重化により上述した全てのパラメータを同時に取得してもよく、図４に示すステップの順序に限定されない。
【００３７】
ステップＳ１６の後に、プロセッサは、フィルタ３１の算出に必要な各パラメータを取得したので、上述したファン段階数、環境パラメータ及び稼働時間を警報アルゴリズム５１に送信することができる。これにより、警報アルゴリズム５１は、ファン段階数、環境パラメータ及び稼働時間に基づいて、フィルタ３１の論理損失値を算出することができる（ステップＳ１８）。
【００３８】
一実施形態において、空調設備３には、複数のファン段階数（例えば、超高速（ＨＨ）、高速（Ｈｉ）、中速（Ｍｅ）及び低速（Ｌｏ））が設けられてもよい。そして、各ファン段階数は、異なる空気の流量に対応している。
【００３９】
具体的に、実験の結果、空調設備３のファン３２を同じファン段階数で動作する場合には、空調設備３を流れる空気の流量が一定であることを発見した（表１参照）。そして、空調設備３のファン３２が異なるファン段階数で動作する場合には、空気の流量がファン段階数に対応して変化する。
【００４０】
【表１】
2019105432.tif 000003
【００４１】
表１に示すように、一実施形態では、ステップＳ１８において、警報アルゴリズム５１は、まず空調設備３の現在設定されているファン段階数を、空調設備３を流れる空気の流量に変換した後、流量、環境パラメータ及び空調設備３の稼働時間に基づいて、フィルタ３１の論理損失値を算出する。ここで、警報アルゴリズム５１は、テーブルルックアップ方式で（例えば、表１を照会することで）ファン段階数を流量に変換してもよい、ファン段階数を動的に算出して流量に変換してもよい。ただし、説明したものは本発明の具体的な一例に過ぎず、これに限定されない。
【００４２】
なお、警報アルゴリズム５１は、管理者により手動で設定されてもよい、ビッグデータ分析により１つ又は複数の重みを自動的に生成してもよい。ステップＳ１８において、警報アルゴリズム５１は、主に上述した流量、稼働時間、環境パラメータ、及び１つ又は複数の重みの乗算値を算出し、この乗算値を上述した論理損失値とするものである。
【００４３】
ステップＳ１８の後に、プロセッサは、警報アルゴリズム５１により算出された論理損失値が予め取得された交換閾値より大きいか否かを判定する（ステップＳ２０）。本発明では、管理者は、空調設備３及びフィルタ３１に対して繰り返し実験し、又は警報アルゴリズム５１によりビッグデータを行うことにより、フィルタ３１に最も合致する交換閾値を算出することができる。
【００４４】
具体的に、警報アルゴリズム５１が用いる、論理損失値を算出するための各パラメータ（上述した流量、環境パラメータ及び稼働時間を含む）は、全てフィルタ３１の寿命に関連するパラメータである。警報アルゴリズム５１は、上述したパラメータに基づいて算出された論理損失値が交換閾値を超えた場合、フィルタ３１の寿命が終わったことを示す。そこで、プロセッサは、ユーザ９又は管理者に空調設備３のフィルタ３１の清掃又は交換を促すように、フィルタ３１の警報メッセージを生成して送信する（ステップＳ２２）。
【００４５】
一実施形態において、プロセッサは、生成された警報メッセージを警報システム２のフロントコントロールパネル６に送信してもよい。他の実施形態において、プロセッサは、生成された警報メッセージを、空間８におけるユーザ９が携帯しているユーザ端末７に送信してもよい。
【００４６】
なお、プロセッサは、フィルタ３１が清掃又は交換された後に、フィルタ３１の関連パラメータを更新してもよい（ステップＳ２４）。具体的に、ステップＳ２４において、プロセッサは、上述した既知の各パラメータ（（流量、環境パラメータ及び稼働時間を含む）を警報システム２の履歴データベース（図示せず）に記憶させ、ローカルレジスタからこれらのパラメータをクリアする。このようにして、警報システム２は、フィルタ３１の前回の使用記録を履歴記録に変換し、クリアされたレジスタにより新たなフィルタ３１の使用記録を記憶することができる。
【００４７】
プロセッサは、ステップＳ２０において、上述した論理損失値が交換閾値以下であると判定した場合、空調設備３又はファン３２がオフされたか否かをさらに判定する（ステップＳ２６）。プロセッサは、空調設備３及びファン３２のいずれもオフされていない場合には、空調設備３のフィルタ３１の寿命に関する各パラメータを取得し続けるようにステップＳ１２からステップＳ２０を再び実行するとともに、フィルタ３１の論理損失値を算出することにより、フィルタ３１の清掃や交換が必要であるか否かを判定し続ける。
【００４８】
プロセッサは、ステップＳ２６において、空調設備３がオフされたか、又は空調設備３がオフされていないがファン３２がオフされたと判定した場合、ステップＳ１２〜Ｓ１６で取得した各パラメータを一時的に記憶し（ステップＳ２８）、今回の警報方法を終了する。プロセッサは、空調設備３が再び起動され、ファン３２が再びオンされた場合、レジスタから前回ステップＳ２８に記憶された各パラメータを読み取り、予め記憶されたデータに基づいて図４に示す各ステップを実行する。これにより、空調設備３の頻繁な開閉に起因するフィルタ３１の論理損失値が不正確に算出されるという問題はない。
【００４９】
図５は、本発明に係る第１実施形態のフィルタ寿命算出を示す概略図である。図５に示すように、本発明に係る警報方法は、主に少なくとも４つのパラメータにより、空調設備３のフィルタ３１の寿命の警報算出を行う。
【００５０】
具体的には、上述した少なくとも４つのパラメータのうち、第１のパラメータは、空調設備３が起動されているか否か、及びファン３２がオンされたか否かを判定するものである。第２のパラメータは、ファン３２がオンされた後、空調設備３が用いるファン段階数に基づいて換算されたフィルタ３１を流れる空気の流量である。第３のパラメータは、検出された所在環境における有害物質（例えば、総揮発性有機化合物、ダスト、ホルムアルデヒド等）の濃度。第４のパラメータは、算出された空調設備３の稼働時間。
【００５１】
警報システム２は、上述した少なくとも４つのパラメータを取得した後、警報アルゴリズム５１によりフィルタの寿命の警報算出を実行することができる。また、警報システム２は、算出結果が基準に達した場合、上述した警報メッセージを送信することで、ユーザ又は管理者に警報することができる。これにより、本発明は、算出されたフィルタ寿命をより正確にすることができる。
【００５２】
図６は、本発明に係る第１実施形態の関連パラメータを示す概略図である。一実施形態において、空調設備３、センサ４、又はサーバ５は、フロントコントロールパネル６又はユーザ端末７に上述した各パラメータを送信して、フロントコントロールパネル６又はユーザ端末７を表示させることができる。これにより、ユーザ９及び管理者は、空調設備３のフィルタ３１の寿命に関する各データを明確に確認することができる。
【００５３】
例えば、図６に示す実施形態において、ユーザ９及び管理者は、フロントコントロールパネル６又はユーザ端末７により空調設備３の電源状態、ファン３２の状態、の空間８における総揮発性有機化合物濃度値、空間８におけるダスト濃度値等を確認することができるが、これらに限定されない。上述したパラメータを表示することにより、ユーザ９及び管理者は、空調設備３、ファン３２及び所在環境の現状を知ることができる。その結果、空調設備３、ファン３２及び所在環境を改善することで、フィルタ３１の寿命を延ばすことが可能である。
【００５４】
本発明の警報システム及び警報方法によれば、関連技術が採用した判定方法よりも正確なフィルタ寿命算出結果を得ることができる。これにより、ユーザ又は管理者は、空調設備のフィルタの清掃又は交換動作をより効率的に行うことができる。
【００５５】
以上、本発明の好適な実施形態を説明したが、本発明はこれらの実施形態に限定されるものではない。また、本発明の内容を応用してなされる等価な変更は、すべて本発明の範囲に含まれることはいうまでもない。
【符号の説明】
【００５６】
１…空調設備
１１…フィルタ
１２…吸気口
１３…排気口
２…警報システム
３…空調設備
３１…フィルタ
３２…ファン
３３…冷却コイル
３４…加熱コイル
４…センサ
５…サーバ
５１…警報アルゴリズム
６…フロントコントロールパネル
７…ユーザ端末
７１…アプリケーション
８…空間
８１…通気口
９…ユーザ
【図１】
2019105432.tif 000004
【図２】
2019105432.tif 000005
【図３】
2019105432.tif 000006
【図４】
2019105432.tif 000007
【図５】
2019105432.tif 000008
【図６】
2019105432.tif 000009